(57)【要約】【課題】演出効果を向上させることができる遊技機を提供する。【解決手段】実施形態に係る遊技機の一例であるパチンコ機１０は、遊技盤５０を有する遊技機本体としての枠体２０と、その枠体２０から、遊技盤５０を見る遊技者側に延伸し、遊技者が遊技盤５０を見ることが可能に少なくとも遊技者の顔の側面の一部を隠す延伸部６１とを備える。これにより、遊技者の顔の一部が隠れ、遊技者が店員や客等の他人の視線を気にする度合いが減り、遊技に対する遊技者の集中力が向上するので、演出効果を向上させることができる。【選択図】図２
2019198359.tif 000002
【特許請求の範囲】
【請求項１】
遊技盤を有する遊技機本体と、
前記遊技機本体から、前記遊技盤を見る遊技者側に延伸し、前記遊技者が前記遊技盤を見ることが可能に少なくとも前記遊技者の顔の側面の一部を隠す延伸部と、
を備えることを特徴とする遊技機。
【請求項２】
前記延伸部は、前記遊技機本体の両側から延伸し、前記遊技者の顔の両側面を隠すことを特徴とする請求項１に記載の遊技機。
【請求項３】
前記延伸部は、前記遊技機本体の上側から延伸し、前記遊技者の頭の上面を隠すことを特徴とする請求項２に記載の遊技機。
【請求項４】
前記延伸部の少なくとも一部は、透光性を有する材料により形成されていることを特徴とする請求項１から３のいずれか一項に記載の遊技機。
【請求項５】
前記延伸部における前記遊技機本体側の一部は、透光性を有する材料により形成されていることを特徴とする請求項４に記載の遊技機。
【請求項６】
前記遊技機本体に設けられ、前記延伸部に対して投影を行う投影機を備えることを特徴とする請求項１から５のいずれか一項に記載の遊技機。
【請求項７】
前記延伸部に設けられ、音を出すスピーカを備えることを特徴とする請求項１から６のいずれか一項に記載の遊技機。
【発明の詳細な説明】
【技術分野】
【０００１】
本発明は、遊技機に関する。
【背景技術】
【０００２】
代表的な遊技機であるパチンコ機は、機内の遊技盤の盤面に画定された遊技領域に枠状の装飾体が設けられ、その枠状の装飾体の開口部を介して液晶式やドラム式等の図柄表示装置が臨み、この図柄表示装置によって図柄変動ゲームやリーチ演出等の各種の遊技演出を行うようになっている。また、枠状の装飾体の下方には、遊技球であるパチンコ球の入賞により図柄表示装置に遊技演出を開始させる始動入賞装置や大当り時等に特別入賞口を開放する特別入賞装置が設けられている。
【０００３】
このパチンコ機では、遊技領域に打ち出されたパチンコ球が、遊技領域内に設けられた遊技釘等との接触によって跳ね返りながら自重により流下し、その遊技領域を流下する過程で始動入賞装置に入賞すると、所定数の賞球が払い出されると共に、図柄変動ゲーム等の遊技演出が実行される。そして、図柄が所定の組み合わせで停止することで大当りが発生すると、特別入賞装置において特別入賞口が開放され、特別入賞口へのパチンコ球の入賞機会が与えられ、遊技者が賞球を獲得することが可能になる。
【０００４】
このようなパチンコ機では、図柄表示装置による図柄変動ゲームやリーチ演出等が行われる。また、遊技機のモチーフとなる意匠等を施したカバー部材や、ＬＥＤ等を有する照明装置を遊技盤や装飾体に配設し、図柄表示装置による図柄変動ゲームやリーチ演出等に応じて照明装置の点灯や点滅を実行することで、演出効果の向上が図られている。さらに、所定の動作を行う可動体を装飾体等に設け、図柄表示装置による図柄変動ゲームやリーチ演出等に合せて可動体を動作させることで、視覚的な演出効果を向上させるパチンコ機も知られている。
【先行技術文献】
【特許文献】
【０００５】
【特許文献１】特開２０１４−２０４９５６号公報
【発明の概要】
【発明が解決しようとする課題】
【０００６】
前述のように各種の演出が行われているが、パチンコ機で遊技を行う遊技者の中には、店員や客等の他人の視線を気にする遊技者も存在する。このような遊技者は、遊技中、他人の視線を気にするため、遊技に集中することができない状態となる。この遊技者の集中力の低下は、演出効果の低下につながっている。つまり、遊技者の集中力の低下に起因する演出効果の低下に関しては、改善の余地があり、より一層の演出効果の向上が求められている。
【０００７】
本発明は、上記の問題点に着目してなされたものであり、その目的は、演出効果を向上させることができる遊技機を提供することである。
【課題を解決するための手段】
【０００８】
上記課題を解決する遊技機は、遊技盤を有する遊技機本体と、前記遊技機本体から、前記遊技盤を見る遊技者側に延伸し、前記遊技者が前記遊技盤を見ることが可能に少なくとも前記遊技者の顔の側面の一部を隠す延伸部とを備えることを特徴とする。
【０００９】
上記遊技機について、前記延伸部は、前記遊技機本体の両側から延伸し、前記遊技者の顔の両側面を隠すようにしてもよい。
【００１０】
上記遊技機について、前記延伸部は、前記遊技機本体の上側から延伸し、前記遊技者の頭の上面を隠すようにしてもよい。
【００１１】
上記遊技機について、前記延伸部の少なくとも一部は、透光性を有する材料により形成されているようにしてもよい。
【００１２】
上記遊技機について、前記延伸部における前記遊技機本体側の一部は、透光性を有する材料により形成されているようにしてもよい。
【００１３】
上記遊技機について、前記遊技機本体に設けられ、前記延伸部に対して投影を行う投影機を備えるようにしてもよい。
【００１４】
上記遊技機について、前記延伸部に設けられ、音を出すスピーカを備えるようにしてもよい。
【発明の効果】
【００１５】
本発明によれば、演出効果を向上させることができる。
【図面の簡単な説明】
【００１６】
【図１】実施形態に係るパチンコ機（遊技機の一例）を示す正面図である。
【図２】実施形態に係るパチンコ機を示す斜視図である。
【図３】実施形態に係る枠体及び延伸部を示す側面図である。
【図４】実施形態に係るパチンコ機及び遊技者を示す側面図である。
【図５】実施形態に係るパチンコ機及び遊技者を示す斜視図である。
【図６】実施形態に係る延伸部の内部を下方から示す斜視図である。
【発明を実施するための形態】
【００１７】
本発明の実施の一形態について図面を参照して説明する。なお、本実施形態に係る遊技機としては、遊技球としてパチンコ球を用いて遊技を行うパチンコ機を例に挙げて説明する。また、以下の説明において、「前」、「後」、「左」、「右」、「上」、「下」とは、特に断りのない限り、遊技者側からパチンコ機を見た場合における各方向を示すものである。
【００１８】
（基本構成）
図１及び図２に示すように、実施の一形態に係るパチンコ機１０は、枠体２０と、表示装置３０と、制御装置４０と、遊技盤５０とを備えている。枠体２０はパチンコ機１０の本体（遊技機本体）の一例である。
【００１９】
枠体２０は、図３に示すように、外枠２１、中枠２２及び前枠２３により構成されている。外枠２１は、前後に開口する矩形枠状に形成されており、遊技店の設置枠台（図示せず）に縦置き姿勢で固定枠として設けられている。また、中枠２２は、外枠２１の開口前面側に開閉及び着脱可能に組み付けられ、遊技盤５０を着脱可能に保持する本体枠として設けられている。前枠２３は、中枠２２の前面側に開閉可能に組み付けられ、機内を保護するガラス板を備える枠として設けられている。この前枠２３は、ダンパ等を用いて上方に開くように跳ね上げ方式に形成されている。
【００２０】
前枠２３の上部には、図１から図５に示すように、延伸部６１が設けられている。延伸部６１は、前枠２３の上側及び両側（左側及び右側）から遊技者側に延伸し（図４及び図５参照）、遊技者が遊技盤５０を見ることが可能に、遊技者の顔の両側面及び頭の上面を覆って隠すように形成されている。この延伸部６１は、天井壁６１ａ及び一対の側壁６１ｂを有しており、それらの天井壁６１ａ及び一対の側壁６１ｂにより遊技者の顔の両側面及び頭の上面を囲うように形成されている。これにより、遊技者は、店員や客等の他人の視線を気にせず、遊技に集中することができる。なお、延伸部６１は、前枠２３に固定されており、前枠２３が上方に回動して開くと、その前枠２３と共に上方に移動する。
【００２１】
通常、遊技を行う遊技者は、椅子に座って遊技盤５０を見ながら遊技を行っている（図４及び図５参照）。例えば、延伸部６１の設計では、椅子に座った状態の遊技者とパチンコ機１０との離間距離やその遊技者の基本姿勢、男性や女性の標準体型等が考慮され、延伸部６１が少なくとも遊技者の顔の側面の一部を隠すように設計されている。このとき、遊技者の顔の側面の一部として、遊技者の目を含む部分を隠すことが好ましい。なお、パチンコ機１０の前面から椅子の支柱の中心軸までの離間距離は、遊技店のスペースやレイアウト等によって様々であるが、一例として４００〜６００ｍｍの範囲内であることが多い。
【００２２】
前述の延伸部６１の少なくとも一部は、透光性を有する材料（透光性材料）により形成されており、例えば、延伸部６１における前枠２３側の一部、すなわち一対の側壁６１ｂの前枠２３側の一部が透光性材料によって形成されている。これにより、店員や客等の遊技者以外の人が遊技盤５０を視認することが可能になるので、ゴト行為等の不正行為を抑制することができ、また、遊技者が正常に遊技をしているか否かを容易に確認することができる。なお、透光性材料としては、例えば、透明材料や半透明材料等を用いることが可能である。
【００２３】
延伸部６１の上面には、図１から図５に示すように、表示部６２が設けられている。この表示部６２は、遊技盤５０より高い位置であって、延伸部６１における遊技者の頭の上方部分に配置されている。表示部６２は、例えば、ＬＥＤ（発光ダイオード）等のランプにより複数の単語を浮かび上がらせることが可能に形成されており、「遊技中」又は「呼出中」の単語を示す点灯状態（図２及び図５参照）、あるいは、それらの単語を示さない消灯状態となる（図１参照）。この表示部６２は、例えば、遊技中青色に点灯し、呼出中赤色に点灯する。「遊技中」とは、遊技者が遊技を行っている最中であることを示し、「呼出中」とは、遊技者が呼出ボタン６２ａ（図２参照）の押下により店員等を呼び出している最中であることを示す。このため、店員や客等の遊技者以外の人は、遊技者が遊技中又は呼出中であることを把握することができる。なお、表示部６２としては、前述のランプ以外にも、例えば、液晶ディスプレイや有機ＥＬディスプレイ等を用いることが可能である。
【００２４】
前枠２３の左下部には、図１及び図２に示すように、パチンコ球を貯留する上球受け皿６３が組み付けられている。また、前枠２３における上球受け皿６３よりも下方には、パチンコ球を貯留する下球受け皿６４が組み付けられている。前枠２３の右下部には、中枠２２に配設された打球発射装置（図示せず）を作動する操作ハンドル６５が設けられている。操作ハンドル６５は、左回りに付勢された操作レバー６５ａを備えており、遊技者が操作レバー６５ａを右周りに回転させることで打球発射装置が作動され、上球受け皿６３に貯留されたパチンコ球が発射されるようになっている。なお、打球発射装置は、操作レバー６５ａの回動量に応じ、パチンコ球の打球力の強弱が変化するように構成されている。
【００２５】
前枠２３の周縁には、図１及び図２に示すように、ＬＥＤ等の発光体を有するランプ装置６６が設けられている。また、前枠２３の上部及び延伸部６１の両側面や上面の後側（一対の側壁６１ｂや天井壁６１ａの後側）には、音声や効果音等の音を出力する複数のスピーカ６７が設けられている。これにより、ランプ装置６６が点灯・点滅したり、各スピーカ６７が音を出したりすることで、表示装置３０で行われる各種の表示演出（例えば、図柄変動ゲームやリーチ演出等）に合わせて光や音による演出が行われる。
【００２６】
前枠２３の中央下部には、図１から図６に示すように、投影機６８が設けられている。投影機６８は、延伸部６１の内面（図６参照）に対して映像（画像）を投影する。例えば、表示装置３０で行われる表示演出等の各種演出に合わせて、映像が投影機６８によって延伸部６１の内面に投影され、遊技者に対する視覚的な演出が行われる。このとき、映像は延伸部６１の内面の全体に投影されるので、遊技者は映像により囲まれるような感じを受けることになる。なお、投影機６８としては、例えば、プロジェクタ等を用いることが可能である。
【００２７】
延伸部６１の内部には、図４及び図６に示すように、送風機６９が設けられている。この送風機６９は、椅子に座る遊技者に向けて風を送るように形成されており、延伸部６１における遊技者の頭の上方部分に配置されている。送風機６９の風量（風の強弱）は、表示装置３０で行われる表示演出（例えば、桜が散る表示演出）等の各種演出に応じて変更される。これにより、各種演出に応じた風量の風が遊技者に送られ、遊技者に対する体感的な演出が行われる。なお、送風機６９としては、例えば、羽根やモータ等を有する送風機を用いることが可能である。
【００２８】
図１に戻り、表示装置３０は、複数種類の図柄を変動表示可能であり、中枠２２に組み付けられた遊技盤５０の奥側（裏側）に配設されている。なお、この表示装置３０がパチンコ機１０の前面から視認可能になるように遊技盤５０は構成されている。表示装置３０としては、各種図柄を表示可能な液晶パネルが収容ケースに収容された液晶ディスプレイを採用しているが、これに限るものではなく、ドラム式の表示装置やドットマトリックス式の表示装置等の各種図柄を停止及び変動表示可能な各種表示装置を採用することが可能である。
【００２９】
制御装置４０は、表示装置３０に加え、表示部６２やランプ装置６６、スピーカ６７、投影機６８、送風機６９等の各部を制御するものであり、遊技盤５０の奥側に配設されている。この制御装置４０は、各種の表示演出処理、また、それらの表示演出に合わせて光や音による演出処理を行う。なお、制御装置４０としては、ＣＰＵ（中央処理装置）やメモリ等を有する回路を採用しているが、これに限るものではない。
【００３０】
遊技盤５０は、アクリルやポリカーボネート等の光透過性の合成樹脂材が所定板厚の略矩形状に形成された平板状の透明板（遊技領域形成部材）等を有しており、遊技盤ユニットとして機能する。なお、透明板は、平板状の透明板に限られるものではなく、例えば、装飾シール等が表面に貼付されたベニヤ材や合成樹脂材等の非光透過性の板部材であってもよい。
【００３１】
遊技盤５０の前面（盤面）には、内レール５０ａ及び外レール５０ｂが半円弧状に設けられている（図１参照）。内レール５０ａは、枠状装飾体（図示せず）の外面と共に、パチンコ球が流下可能な遊技領域Ｒ１を画定している。内レール５０ａ及び外レール５０ｂは、一個のパチンコ球が通過可能な発射通路を盤面の左側に画定し、盤面の左側上部に発射通路の開放端（打ち出し口）を臨ませるように形成されている。これにより、打球発射装置から発射されたパチンコ球は、内レール５０ａ及び外レール５０ｂによって案内されて発射通路を通過し、発射通路の開放端から遊技領域Ｒ１の上部に打ち出される。なお、遊技者が操作レバー６５ａの回動量を調整することで、遊技領域Ｒ１の左側をパチンコ球が流下する所謂「左打ち」と、遊技領域Ｒ１の右側をパチンコ球が流下する所謂「右打ち」とが打ち分けられる。
【００３２】
遊技盤５０の遊技領域Ｒ１には、多数の遊技釘や回転案内部材（いずれも図示せず）が設けられている。これらの遊技釘や回転案内部材は、パチンコ球との接触によりパチンコ球の流下方向が不規則に変化するように設けられている。回転案内部材（例えば、風車）は、遊技領域Ｒ１を流下するパチンコ球の接触に伴って回転するように回転自在に設けられている。また、遊技領域Ｒ１の最下部位置には、遊技領域Ｒ１に開口するアウト口（図示せず）が形成されており、遊技領域Ｒ１に打ち出されてアウト口に入球したパチンコ球が機外に排出されるように構成されている。
【００３３】
また、遊技盤５０の遊技領域Ｒ１には、遊技領域Ｒ１を流下するパチンコ球が入賞可能な始動入賞部（図示せず）がアウト口の上側に位置付けられて設けられている。この始動入賞部の始動入賞口にパチンコ球が入賞すると、所定数のパチンコ球が賞球として上球受け皿６３や下球受け皿６４に払い出されると共に、表示装置３０において図柄変動ゲーム等の各種演出が開始される。
【００３４】
（遊技者の遊技集中）
前述のパチンコ機１０において、遊技者は遊技を行うが、図４及び図５に示すように、遊技盤５０の前面から遊技者の頭の上面及び顔の両側面の周囲までの空間が延伸部６１により囲われている。この空間は遊技者個人の空間となり、遊技者は個室のような空間を感じることが可能となる。通常、店員や客等の他人の視線を気にする遊技者は、遊技中に他人の視線を気にし過ぎ、遊技に集中することができない状態となることがある。この集中力の低下によって演出効果が低下するが、本実施形態では、前述のように遊技者が延伸部６１により囲まれているため、遊技者は他人の視線を気にしなくなり、遊技に集中力することができる。これにより、遊技に対する遊技者の集中力が向上するので、演出効果を向上させることができる。
【００３５】
（遊技演出）
また、遊技中には、表示装置３０で行われる表示演出（例えば、桜が散る表示演出）等の各種演出に応じて、投影機６８や送風機６９が制御装置４０によって制御される。例えば、各種演出に応じ、映像が延伸部６１の内面の全体に投影機６８によって投影され、さらに、各種演出に応じ、送風機６９の風量が変えられて風が送風機６９から遊技者に向かって送られる。これにより、視覚的な演出及び体感的な演出が行われるので、遊技の興趣を高め、演出効果をさらに向上させることができる。また、遊技中、各スピーカ６７も制御装置４０によって制御され、各スピーカ６７から音が出力される。これらのスピーカ６７は前枠２３に加えて延伸部６１にも設けられており、複数のスピーカ６７が遊技者を囲むように存在するので、３Ｄ音響（立体音響）を実現することが可能となる。これにより、さらに遊技の興趣を高め、演出効果をより向上させることができる。
【００３６】
（遊技中の報知）
前述のパチンコ機１０において、表示部６２が延伸部６１の上面に設けられており、この表示部６２は制御装置４０によって制御される。遊技中には、制御装置４０による制御に応じて、遊技者が遊技中であることを示す単語として、「遊技中」が表示部６２によって表示される（図２参照）。例えば、「遊技中」は遊技の開始（パチンコ球の発射、入賞又は排出等）に応じて表示される。これにより、店員や客等の遊技者以外の人は、遊技者が遊技中であることを容易に把握することができる。通常、遊技者以外の人は、遊技者が遊技中であることを確認するため、すなわち遊技盤５０や遊技者の手元等を視認するため、確認対象のパチンコ機１０の近くまで移動し、遊技盤５０や遊技者の手元等を視認する確認動作を行う必要があるが、本実施形態では、前述のように「遊技中」が表示されるので、その確認動作を行う必要が無くなるので、遊技者以外の人の利便性を向上させることができる。
【００３７】
（呼出中の報知）
また、前述のパチンコ機１０において、呼出ボタン６２ａが遊技者により押下されると、遊技者が店員を呼出中であることを示す単語として、「呼出中」が表示部６２によって表示される（図５参照）。これにより、店員や客等の遊技者以外の人は、遊技者が店員を呼び出している呼出中であることを容易に把握することができる。通常、遊技者以外の人が、遊技者が呼出中であるか否かを把握することは難しいが、本実施形態では、前述のように「呼出中」が表示されるので、遊技者が呼出中であることを容易に把握することが可能になるので、遊技者以外の人の利便性を向上させることができる。
【００３８】
以上説明したように、前述の実施形態によれば、遊技機本体としての枠体２０から遊技者側に延伸し、遊技者が遊技盤５０を見ることが可能に少なくとも遊技者の顔の側面の一部を隠す延伸部６１が設けられている。これにより、遊技者の顔の一部が隠れ、遊技者が店員や客等の他人の視線を気にする度合いが減り、遊技に対する遊技者の集中力が向上するので、演出効果を向上させることができる。
【００３９】
また、延伸部６１は、枠体２０の両側から延伸し、遊技者の顔の両側面や頭の上面等を隠すので、遊技に対する遊技者の集中力がより向上するので、演出効果をさらに向上させることができる。
【００４０】
また、延伸部６１の少なくとも一部は、透光性を有する材料により形成されているので、店員や客等の遊技者以外の人が遊技盤５０を見ることができる。例えば、延伸部６１における枠体２０側の一部が、透光性を有する材料により形成されているので、店員や客等の遊技者以外の人が遊技盤５０を視認することが可能になり、ゴト行為等の不正行為を抑制することができ、また、遊技者が正常に遊技をしているか否かを容易に確認することができる。
【００４１】
また、延伸部６１に対して投影を行う投影機６８が枠体２０に設けられているので、遊技の興趣を高め、演出効果をより向上させることができる。さらに、音を出すスピーカ６７が延伸部６１に設けられているので、遊技の興趣を高め、演出効果をより向上させることができる。
【００４２】
また、前述の実施形態によれば、表示部６２が遊技盤５０より高い位置に設けられている。これにより、表示部６２により店員や客等の遊技者以外の人に情報を視認させることが可能となる。例えば、表示部６２は、情報として遊技中又は呼出中を示すことから、店員や客等の遊技者以外の人は、遊技者が遊技中又は呼出中であることを容易に把握することが可能となるので、遊技者以外の人の利便性を向上させることができる。
【００４３】
また、表示部６２が延伸部６１、例えば、延伸部６１における遊技者の頭の上方部分に設けられているので、表示部６２を遊技盤５０より高い位置に確実に設けることができる。これにより、表示部６２により遊技者以外の人に情報を確実に視認させることが可能になるので、遊技者以外の人の利便性を確実に向上させることができる。
【００４４】
＜他の実施形態＞
前述の実施形態においては、遊技者の頭の上面及び顔の両側面を隠すように延伸部６１を形成することを例示したが、これに限るものではなく、少なくとも遊技者の顔の側面の一部を隠すように形成すれば良く、例えば、遊技者の顔の両側面だけあるいは片方の側面だけを隠すように形成しても良い。
【００４５】
また、前述の実施形態においては、表示部６２や送風機６９を延伸部６１における遊技者の頭の上方部分に設けることを例示したが、これに限るものではなく、例えば、延伸部６１の上部の他の位置や延伸部６１の側面等に設けても良い。
【００４６】
また、前述の実施形態においては、投影機６８を前枠２３の中央下部に設けることを例示したが、これに限るものではなく、例えば、前枠２３の他の位置や延伸部６１の内面等に設けても良い。
【００４７】
また、前述の実施形態においては、呼出ボタン６２ａを前枠２３における投影機６８の周辺（一例として奥側）に設けることを例示したが、これに限るものではなく、例えば、前枠２３における上球受け皿６３の周辺や下球受け皿６４の周辺、操作レバー６５ａの周辺等に設けても良い。
【００４８】
また、前述の実施形態においては、遊技機としてパチンコ機１０を用いることを例示したが、これに限るものではなく、例えば、アレンジボール機やスロットマシン等、その他各種の遊技機を用いても良い。
【００４９】
以上、本発明に係る前述の実施形態を説明したが、前述の実施形態は例示であり、発明の範囲を限定するものではない。前述の実施形態は種々変更可能であり、例えば、前述の実施形態に示される構成要素を省略、置き換え、変更しても良く、さらに、異なる実施形態に係る構成要素を適宜組み合わせても良い。前述の実施形態やその変形は、特許請求の範囲に記載された発明とその均等の範囲に含まれるものである。
【符号の説明】
【００５０】
１０    パチンコ機
２０    枠体
２１    外枠
２２    中枠
２３    前枠
３０    表示装置
４０    制御装置
５０    遊技盤
５０ａ  内レール
５０ｂ  外レール
６１    延伸部
６１ａ  天井壁
６１ｂ  側壁
６２    表示部
６２ａ  呼出ボタン
６３    上球受け皿
６４    下球受け皿
６５    操作ハンドル
６５ａ  操作レバー
６６    ランプ装置
６７    スピーカ
６８    投影機
６９    送風機
Ｒ１    遊技領域
【図１】
2019198359.tif 000003
【図２】
2019198359.tif 000004
【図３】
2019198359.tif 000005
【図４】
2019198359.tif 000006
【図５】
2019198359.tif 000007
【図６】
2019198359.tif 000008